(57)【要約】【課題】既存の換気扇等の電気機器に備えられている人感センサを利用し、容易に設置することができる安否確認装置及びこの装置を用いた安否確認システムを得る。【解決手段】電源コンセント１２から居住者を感知する人感センサ１ｓを有する換気扇１の電源プラグへ流れる電流を電流検出部２１によって検出する。制御部２２は、時間発生部２４の生成したクロック信号を用いて電流検出部２１の検出信号が有意となった時刻を求めて当該時刻を示す送信信号を生成する。通信Ｉ／Ｆ２５は、制御部２２から出力された送信信号を通報装置へ送信する。【選択図】図３
2007233452.tif 000002
【特許請求の範囲】
【請求項１】
電源電力を供給するコンセントに差し込むプラグ端子と、
前記プラグ端子に電気的に接続して、居住者を感知する人感センサを有する電気機器の電源プラグが差し込まれる電源ソケットと、
前記電源ソケットに流れる電流を検出する電流検出手段と、
時間発生手段の生成したクロック信号を用いて前記電流検出手段からの検出信号が有意となった時刻を求め、当該時刻を示す送信信号を生成する制御手段と、
前記制御手段から出力された送信信号を通報装置に送信する送信手段と、
を備える安否確認装置。
【請求項２】
電気機器に備えられている人感センサの検出信号を入力し、時間発生手段の生成したクロック信号を用いて前記検出信号が有意となった時刻を求め、当該時刻を示す送信信号を生成する制御手段と、
前記制御手段から出力された送信信号を通報装置へ送信する送信手段と、
を備える安否確認装置。
【請求項３】
電源電力を供給するコンセントに差し込むプラグ端子と、
前記プラグ端子に電気的に接続して、居住者を感知する人感センサを有する電気機器の電源プラグが差し込まれる電源ソケットと、
前記電源ソケットに流れる電流を検出する電流検出手段と、
時間発生手段の生成したクロック信号を用いて前記電流検出手段からの検出信号が有意になった複数の時刻の時間間隔を求め、前記検出信号が有意になった時刻ならびに時間間隔に基づいて安否判断を行い当該安否判断結果を示す送信信号を生成する制御手段と、
前記制御手段から出力された送信信号を通報装置に送信する送信手段と、
を備えることを特徴とする安否確認装置。
【請求項４】
電気機器に備えられている人感センサの検出信号を入力し、時間発生手段の生成したクロック信号を用いて前記検出信号が有意になった複数の時刻の時間間隔を求め、前記検出信号が有意になった時刻ならびに時間間隔に基づいて安否判断を行い当該安否判断結果を示す送信信号を生成する制御手段と、
前記制御手段から出力された送信信号を通報装置に送信する送信手段と、
を備えることを特徴とする安否確認装置。
【請求項５】
制御手段は、検出信号が有意を継続した時間を求め、当該継続時間に基づいて安否判断を行うことを特徴とする請求項４記載の安否確認装置。
【請求項６】
送信信号を記憶する記憶手段を備え、
制御手段は、生成した送信信号を前記記憶手段に順次記憶させ、予め定められている時刻に当該記憶手段に記憶されている複数の送信信号を送信手段へ出力することを特徴とする請求項１から請求項５のうちのいずれか１項記載の安否確認装置。
【請求項７】
請求項１または請求項６記載の安否確認装置と、
前記安否確認装置の送信手段からの送信信号を通信網へ送信する第一の通信手段と、
前記通信網を介して第一の通信手段からの送信信号を受信する第二の通信手段と、
前記第二の通信手段から順次入力した各送信信号の示す時刻から居住者を感知した時間間隔を求め当該時刻ならびに時間間隔に基づいて居住者の安否を判断する判断手段を有する通報装置と、
を備える安否確認システム。
【請求項８】
請求項２または請求項６記載の安否確認装置と、
前記安否確認装置の送信手段からの送信信号を通信網へ送信する第一の通信手段と、
前記通信網を介して第一の通信手段からの送信信号を受信する第二の通信手段と、
前記第二の通信手段から順次入力した各送信信号の示す時刻から居住者を感知した時間間隔及び検出信号が有意を継続した時間を求め、当該継続時間、時刻及び時間間隔に基づいて居住者の安否を判断する判断手段を有する通報装置と、
を備える安否確認システム。
【請求項９】
請求項３から請求項６のうちのいずれか１項記載の安否確認装置と、
前記安否確認装置の送信手段からの送信信号を通信網へ送信する第一の通信手段と、
前記通信網を介して第一の通信手段からの送信信号を受信する第二の通信手段と、
前記第二の通信手段から入力した送信信号の示す安否確認結果に応じて通報動作を行う通報装置と、
を備える安否確認システム。
【発明の詳細な説明】
【技術分野】
【０００１】
この発明は、居住者の安否確認を行う安否確認装置及び安否確認システムに関するものである。
【背景技術】
【０００２】
従来の安否確認システムとして、水洗トイレ用ロータンクのレバー操作を検知する安否確認センサと、居住者の在・不在を判別する在・不在判別手段と、タイマ機能を有する安否判定ユニットとを備えたものがある。このシステムは、在・不在判定手段が現在は居住者が在宅であると判定したときに安否判定ユニットのタイマ機能を作動させ、このタイマ機能が働いている一定時間内に安否確認センサが一度も作動しなかったとき、安否判定ユニットが緊急通報信号を出力し、例えば安否判定ユニットに接続されている緊急電話機を用いて緊急連絡先へ通報を行っている（例えば、特許文献１参照）。
このような安否確認システムでは、居住者が平常であれば生活の中で１日１回以上は必ずトイレを使用することを前提として、在宅中において一定時間内にトイレが使用されなかったとき居住者の健康状態に異常が生じたと判断して外部へ通報するようにしている。
【０００３】
【特許文献１】特開２００１−６０７３号公報（第２，３頁、図１〜図３）
【発明の開示】
【発明が解決しようとする課題】
【０００４】
従来の安否確認システムは以上のように構成されているので、ロータンクのレバー操作を検知する安否確認センサ、居住者の在・不在を判断する在・不在判別手段、及び、タイマ機能を備えて緊急通報信号を出力する安否判定ユニット等の設置場所の確保や接続配線等の施行が容易ではなく、稼動させるまで多くの経費と労力を要するという課題があった。
【０００５】
この発明は上記のような課題を解決するためになされたもので、既存の換気扇等の電気機器に備えられている人感センサを利用し、容易に設置することのできる安否確認装置及びこの装置を用いた安否確認システムを得ることを目的とする。
【課題を解決するための手段】
【０００６】
この発明に係る安否確認装置は、電源電力を供給するコンセントに差し込むプラグ端子と、プラグ端子に電気的に接続して居住者を感知する人感センサを有する電気機器の電源プラグが差し込まれる電源ソケットと、電源ソケットに流れる電流を検出する電流検出手段と、時間発生手段の生成したクロック信号を用いて電流検出手段の検出信号に基づいて送信信号を生成する制御手段と、制御手段から出力された送信信号を通報装置に送信する送信手段とを備えるものである。
【発明の効果】
【０００７】
この発明によれば、電源電力を供給するコンセントに差し込むプラグ端子と電気的に接続している電源ソケットに居住者を感知する人感センサを有する電気機器の電源プラグを差し込み、電源ソケットに流れる電流を電流検出手段によって検出して、制御手段が電流の検出信号に基づいて送信信号を生成し、送信手段が当該送信信号を通報装置へ送信するようにしたので、既存の電気機器に備えられている人感センサを利用して居住者の活動を検出し、当該居住者の安否を確認することができるという効果がある。
【発明を実施するための最良の形態】
【０００８】
以下、この発明の実施の一形態を説明する。
実施の形態１．
図１は、この発明の実施の形態１による安否確認システムの構成を示すブロック図である。居住者を検知する人感センサを備えた換気扇１は、安否確認装置２へ接続され、当該安否確認装置２を介して例えば家庭用ＡＣ電源に接続されている。安否確認装置２は居住者の有無を示す信号を通信機３へ出力するように接続されている。通信機３は、無線通信網を介して基地局４に接続されている。基地局４は、例えば専用の通信線等によりＷｅｂサーバ６に接続され、また、無線通信網を介して携帯端末５に接続されている。Ｗｅｂサーバ６は、インターネット等の通信網を介して情報端末７と接続されている。情報端末７は、例えばパソコン等から成る通報装置８に接続している。この通報装置８には、通信機３などを介して安否確認装置２から出力された送信信号を入力し、その信号の発生時刻や発生間隔等に基づいて居住者の生活行動を判断する、もしくは居住者の生活行動が常日頃と同様か否かを判断する判断部８ａを備えている。
【０００９】
図２は、実施の形態１による安否確認装置の設置を示す説明図である。図１に示したものと同一部分に同じ符号を使用し、その部分について重複説明を省略する。この図は、例えば屋内の壁面１０に設けられている貫通孔１０ａへ、換気扇１を位置合わせして取り付けるときの各部の概略配置を斜視したものである。壁面１０には、貫通孔１０ａの近傍にＡＣ電源を供給する電源コンセント１２が設置されている。
安否確認装置２は、表面に電源ソケット、詳しくはＡＣ電源のコンセントの差込孔２ａが設けられており、その背面側にはＡＣ電源プラグの差込端子２ｂが設けられている。安否確認装置２の差込端子２ｂを電源コンセント１２の差込孔１２ａへ挿入することにより、当該安否確認装置２が電源コンセント１２を介して壁面１０に係止／固定される。上記の安否確認装置２の表面に設けられた差込孔２ａには、換気扇１の電源プラグ１１の差込端子１１ａが差し込まれる。
通信機３は接続ケーブル３ａによって安否確認装置２と接続され、通信機３の筐体は壁面１０に設置／固定されている。通信機３は、例えば接続ケーブル３ａを用いて安否確認装置２から電源供給を受けている。なお、接続ケーブル３ａは、後述するように安否確認装置２の出力信号の伝送に使用されるものである。
【００１０】
図３は、実施の形態１による安否確認装置の構成を示すブロック図である。この図は、安否確認装置２の電気的な構成を示したもので、図１または図２に示した部分と同一あるいは相当する部分に同じ符号を使用し、その説明を省略する。
図１及び図２に示した換気扇１は、ファンを回転させるモータ１ｍ、モータ１ｍへの電源供給をＯＮ／ＯＦＦする起動スイッチ１ｃ、及び、換気扇１の近傍に存在する居住者等の人物を感知する人感センサ１ｓを備えている。
安否確認装置２は、電源コンセント１２から換気扇１への電源電力の供給を中継するように構成されており、電源コンセント１２から換気扇１へ供給される電源電流の検出を電流センサ２１ｓを用いて行う電流検出部２１、電流検出部２１から出力される電流検出信号Ｉｓに基づいて通信機３へ出力する送信信号を生成する制御部２２、制御部２２の制御動作に応じて各データを記憶しているメモリ等の記憶部２３、制御部２２が用いる基準時間を発生する時間生成部２４、及び、制御部２２から出力された送信信号を所定のデータ様式に変換して通信機３へ出力する通信インタフェース部（以下、通信Ｉ／Ｆと記載する）２５を備えている。また、制御部２２には制御動作即ち安否確認に関する動作をＯＮ／ＯＦＦする解除スイッチ２６が接続されている。なお、この解除スイッチ２６は、ＯＮ／ＯＦＦ切り替え操作を手動で行う操作部位を有するものである。
【００１１】
図４は、実施の形態１による安否確認装置の構成を示す説明図である。この図は、安否確認装置２の概略構成を示す分解斜視図である。図２に示したものと同一あるいは相当する部分に同じ符号を使用し、その説明を省略する。
安否確認装置２の筐体は、例えば図中背面側に開口部を有するハウジング３０と、ハウジング３０の開口部を塞ぐ板状の蓋部３１から成る箱型の形状を成している。ハウジング３０の表面、即ち上記の開口部側から視たとき箱の底端面となる壁面には、図２に示した差込孔２ａを、後述するように配置／露出させる窓部３０ａが設けられている。また、図２に示した解除スイッチ２６の操作部位を露出させる窓部３０ｂが設けられている。蓋部３１には、図２に示した差込端子２ｂを当該筐体内部から突出させる窓部３１ａが設けられている。また、窓部３１ａの側方にはネジ孔３１ｂが設けられている。
安否確認装置２の筐体内部、即ちハウジング３０の内部には、一対の差込孔２ａが設けられているソケット部材３２、一対の差込端子２ｂを保持する保持部材３３、図３に示した電流検出部２１、制御部２２等を実装し当該安否確認装置２の電子回路が構成されている基板３４が収納されている。
【００１２】
ソケット部材３２は、差込孔２ａが設けられている中央部位の両側方から各々突出させた固定片を有し、各々の固定片にはネジ孔３２ａが設けられている。差込孔２ａの設けられているソケット部材３２の表面に対して背面側には保持部材３３が配置される。保持部材３３も、ソケット部材３２と同様に、中央部位の両側方に各々突出させた固定片を有し、この固定片には、レセプタクル部３２の背面側に当該保持部材３３を重ね合わせたとき、ネジ孔３２ａと連なるネジ孔３３ａが設けられている。
保持部材３３の中央部位には、差込端子２ｂが、例えば上記のネジ孔３３ａと同一方向へ延びるように埋め込まれて固定／保持されている。差込端子２ｂは、その後端部位２ｃを保持部材３３の背面側、即ち図４においてソケット部材３２と重ね合わせる側の面から突出させている。この突出させた後端部位２ｃは、図２に示した換気扇１の差込端子１１ａと係合する形状をしており、さらにリード線３５によって基板３４に備えられている電流センサ２１ｓと接続され、詳しくは電流センサ２１ｓが差込端子１１ａに流れる換気扇１の消費電流を検出することができるように接続され、図４に例示したものでは二つの差込端子２ｂの後端部位２ｃに各々リード線３５の一端が接続され、各リード線３５の他端は基板３４に実装されている電流センサ２１ｓへ接続されている。
【００１３】
また、上記の差込端子２ｂは、ソケット部材３２と保持部材３３とを重ね合わせて、例えば蓋部３１に固定したとき、ソケット部材３２の差込孔２ａの位置と上記の差込端子２ｂの後端部位２ｃの位置が各々合致して、差込孔２ａに挿入された換気扇１の差込端子１１ａが後端部位２ｃに電気的に接続すると共に、構造的に接続するように保持部材３３の中央部位に配置されている。
前述のようにソケット部材３２と保持部材３３とを、差込孔２ａと後端部位２ｃが合致するように重ね合わせると、ネジ孔３２ａとネジ孔３３ａが連なる。この状態でネジ４１がネジ孔３２ａ側から挿入され、当該ネジ４１を蓋部３１のネジ孔３１ｂへ羅合させてソケット部材３２及び保持部材３３を蓋部３１に固定している。このようにすると、保持部材３３に保持されている差込端子２ｂは、蓋部３１の窓部３１ａから突出して蓋部３１に固定される。
【００１４】
基板３４は、前述のようにリード線３５によって差込端子２ｂと接続され、また、図３に示した電流検出部２１及び電流センサ２１ａ、制御部２２、記憶部２３、時間生成部２４、通信Ｉ／Ｆ２５、及び解除スイッチ２６を実装し、基板３４に形成されている配線パターンによって上記の各素子等の回路接続を行っている。また、リード線３５を介して入力した電源電力を用いて、制御部２２などの各回路素子へ電源供給を行うように、例えば電源回路ならびに電源配線パターンを備えている。基板３４の四隅には、図４に示したように孔３４ａが設けられており、図示されないネジやスペーサ等を用いて例えば蓋部３１に固定されている。また、基板３４には上記のように解除スイッチ２６が実装されており、蓋部３１をハウジング３０に取り付けたとき、ハウジング３０の窓部３０ｂから当該解除スイッチ２６のＯＮ／ＯＦＦ切り替え操作が行えるように基板３４の面上に設置されている。
【００１５】
このようにソケット部材３２、保持部材３３、及び基板３４が固定された蓋部３１は、例えば蓋部３１の四隅に設けられた孔３１ｃに、それぞれネジ４２が挿入され、これらのネジ４２によってハウジング３０へ取り付け固定されている。このように蓋部３１がハウジング３０へ取り付けられると、ハウジング３０の窓部３０ａにソケット部材３２が合致して、安否確認装置２の筐体表面において差込孔２ａが露出する。このとき、窓部３０ａから僅かにソケット部材３２が突出し、解除スイッチ２６の操作部位が窓部３０ｂから露出もしくは突出する。
【００１６】
次に動作について説明する。
初めに実施の形態１による安否確認装置の動作について説明する。
図３に示したように構成されている換気扇１は、自ら備えている人感センサ１ｓが居住者を感知すると、起動スイッチ１ｃをＯＮ状態としてモータ１ｍに電流を流し、例えば換気扇１を設置しているトイレ等の換気を行う。このように起動スイッチ１ｃをＯＮした換気扇１は、例えばモータ１ｍに電流を一定時間供給してから起動スイッチ１ｃをＯＦＦし、換気動作を自動的に停止する。
上記のように換気扇１が動作するとき、安否確認装置２は、換気扇１が稼動することによって電源コンセント１２に流れた電流を電流センサ２１ａによって検出し、電流検出部２１は電流センサ２１ａの検知結果に基づいて換気扇１が稼動したことを示す電流検出信号Ｉｓを制御部２２へ出力する。
【００１７】
図５は、実施の形態１による安否確認装置の動作を示す説明図である。この図は、最上段に電流検出部２１から出力される電流検出信号Ｉｓを示し、中段に一定周期のパルス信号から成るクロック信号ＣＬを示し、下段に実際の時刻Ｕｓを示したタイミングチャートである。
安否確認装置２の時間生成部２４は、当該安否確認装置２の動作において基準時間となるクロック信号ＣＬを発生している。また、制御部２２は、安否確認動作を行っている間、例えば時間生成部２４から入力しているクロック信号ＣＬをカウントすることにより実際の時刻Ｕｓを求めている。
【００１８】
制御部２２は、電流検出部２１から有意を示す電流検出信号Ｉｓを入力したとき、例えば図５に示したようにレベルＨの電流検出信号Ｉｓを入力し、この電流検出信号ＩｓがレベルＨを示してから最初のクロック信号ＣＬの立ち上がりタイミングにおいて、居住者の検出ならびに検出した時刻Ｕｓを認識し、時刻Ｕｓにおいて居住者を感知した旨を示す送信信号を生成する。制御部２２は、生成した送信信号を記憶部２３へ記憶させる。なお、ここで取り扱われる時刻Ｕｓは年月などの日付けを含めて現在時刻を表すもので、例えば時刻Ｕｓとして「２００５年７月１５日、７時３０分」を表すデータが記憶部２３に記憶される。このように、電流検出信号Ｉｓが有意を示したときに生成した送信信号を、順次記憶部２３へ記憶させる。即ち、記憶部２３には、有意の電流検出信号Ｉｓが発生した順に、各電流検出信号Ｉｓに対応している送信信号が記憶されている。
【００１９】
制御部２２は、予め設定されている所定の時刻になると、記憶部２３が記憶している送信信号を読み出して通信Ｉ／Ｆ２５へ入力する。
通信Ｉ／Ｆ２５は、上記のように制御部２２によって記憶部２３から読み出された送信信号を、通信機３において取り扱うことのできる所定のデータ形式へ順次変換して、通信機３へ出力する。
また、制御部２２には前述のように解除スイッチ２６が接続されている。解除スイッチ２６は、制御部２２の検出動作を許容するか否かを制御するもので、ＯＮ状態に操作／設定されているとき、これまで説明した居住者の検出動作が行われる。居住者が、当該安否確認装置２を設置した住居家屋等から例えば外出する場合には、解除スイッチ２６をＯＦＦ状態へ操作／設定して制御部２２などの動作を停止させる。制御部２２は、解除スイッチ２６の設定に応じて検出動作を停止している期間は、例えば、居住者の検出動作を行っていない期間を示すデータを記憶部２３へ記憶させておき、解除スイッチ２６のＯＦＦ状態を示すデータ、詳しくは居住者が不在のため検知していない旨を示すデータを前述の送信信号と共に通信Ｉ／Ｆ２５を介して通信機３へ出力する。
【００２０】
次に実施の形態１による安否確認システムの動作を説明する。
図１の実施の形態１による安否確認システムを構成する安否確認装置２は、ここまで説明したように動作して通信機３へ送信信号を出力する。通信機３は、安否確認装置２から出力された送信信号を、無線通信網を用いて基地局４へ送る。基地局４は、無線通信網を介して送信信号を受信し、この送信信号をＷｅｂサーバ６へ出力して記憶／格納させる。居住者の安否を確認する監視者は、例えば通報装置８を操作して情報端末７の動作を制御し、当該情報端末７をＷｅｂサーバ６へアクセスさせ、前述のようにＷｅｂサーバ６に格納されている送信信号を情報端末７へ送信させる。
通報装置８は、例えばパソコンや携帯情報端末（ＰＤＡ）等から成るもので、情報端末７が上記のようにして受信した送信信号を当該情報端末７から入力する。なお、ここで送信信号は、同時期に記憶部２３から読み出された各時刻Ｕｓを示す複数のデータで、例えば所定の時刻になると安否確認装置２から通信機３へ出力されるものである。
【００２１】
通報装置８の判断部８ａは、これら送信信号の示す時刻Ｕｓから、居住者を感知した各時刻Ｕｓの間隔を求め、この時間間隔の値から居住者に異常が生じているか否かを判断する。この判断は、例えば次のように行う。初めに受信した各時刻Ｕｓの間隔、即ち居住者を感知した時間間隔を求め、通報装置８に備えられている記憶手段に、この時間間隔を判断基準の時間間隔として記憶しておく。あるいは、判断基準の時間間隔を予め設定して記憶させておいてもよい。この判断基準の時間間隔と、順次安否確認装置２から送信されてくる複数の送信信号から求めた最新の時間間隔とを比較し、最新の時間間隔が概ね判断基準の時間間隔と同様な長さのときは異常が生じていないと判断し、最新の時間間隔が判断基準の時間間隔と異なっているときには異常が生じていると判断する。また、この判断では、例えば常日頃の一日当りの感知回数を記憶しておき、この回数を日毎に比較判断して異常の発生を判断するようにしてもよく、判断部８ａに学習機能を備えて居住者の定常の行動をパターン化し、日毎の行動パターンの比較によって異常の有無を判断するようにしてもよい。
なお、居住者に異常が生じたか否かを判断する判断基準等は、上記説明のものに限定されない。
【００２２】
判断部８ａは、異常が発生したと判断したとき、当該通報装置８に備えられているディスプレイに異常発生のメッセージを表示させる制御、または、発音手段を動作させて警報音等を発生させる制御を行い、監視者への通報動作を行わせる。
図１に示した安否確認システムは、安否確認装置２と通報装置８との間を、無線通信網を利用する通信機３及び基地局４や、インターネット等の公衆通信網を利用するＷｅｂサーバ６や情報端末７などを用いて通信可能に接続しているが、安否確認装置２と通報装置８との間は、このような通信形態に限定されず、安否確認装置２から出力された送信信号を、専ら遠隔地に設置されている通報装置８へ送ることができるものであれば、どのように構成してもよい。
また、図１に示した携帯端末５は、例えば携帯電話機から成るもので上記の通報装置８と同様に居住者の安否確認に関する情報の表示等を行うことができ、基地局４を介して安否確認装置２からの送信信号を受信して、上記説明の通報装置８と同様な動作処理を行う。あるいは、上記説明のように通報装置８の判断部８ａにおいて、安否確認装置２からの送信信号を処理して安否判断を行い、この判断結果を例えば基地局４を経由して携帯端末５へ送り、当該携帯端末５の表示手段に表示する処理を行うようにしてもよい。また、携帯端末５の操作に応じて基地局４を介して通信接続されている通信機３の動作設定を行うようにしてもよい。また、通信機３にランプ、ブザー、スピーカなどを備えておき、これらを携帯端末５の操作に応じて駆動させて安否確認装置２を感知可能な状態へ設定するように、当該安否確認装置２の設置場所に居る居住者などへ促すようにしてもよい。
【００２３】
また、上記の動作説明では安否確認装置２から複数の送信信号を一つにまとめて送信しているが、安否確認装置２において居住者を感知した都度、順次感知した時刻Ｕｓを示す送信信号を通報装置８へ送信し、通報装置８は順次受信する各送信信号から前述の動作説明と同様に各時刻Ｕｓの時間間隔を求め、この時間間隔の値に基づいて異常の有無を判断するようにしてもよい。
また、安否確認装置２の制御部２２が、例えば記憶部２３に電流検出部２１から出力された電流検出信号Ｉｓの有意となった時刻Ｕｓを順次記憶させておき、これらの時刻Ｕｓ間の時間間隔を求めて前述の通報装置８の判断部８ａのように安否の判断を行い、この安否判断結果を送信信号として通報装置８へ送信して通報動作を行わせるようにしてもよい。なお、このときの通報装置８の判断部８ａは、送信信号の内容に応じた通報動作の制御のみを行う。このように、安否確認システムにおいて、安否確認装置２の制御部２２あるいは通報装置８の判断部８ａのいずれかで安否判断を行うことにより、特定の装置に重い処理負荷が偏らないようにすることができ、当該システムに汎用性や融通性などを備えることができる。
【００２４】
以上のように実施の形態１によれば、安否確認装置２に人感センサ１ｓを備えた換気扇１の電源プラグ１１を接続する差込孔２ａを設け、換気扇１へ供給される電源電流を電流検出部２１で検出して、制御部２２が電流検出部２１の検出結果に基づいて送信信号を生成し、通信Ｉ／Ｆ２５から通報装置８へ送信するようにしたので、安否確認装置２の取付け施工や稼動させるための配線施工を容易にすることができるという効果がある。
【００２５】
実施の形態２．
図６は、この発明の実施の形態２による安否確認装置の構成を示すブロック図である。この図は、実施の形態２による安否確認装置５２の電気的な構成を示したもので、図３等に示したものと同一あるいは相当する部分に同じ符号を使用し、その説明を省略する。換気扇５１は、実施の形態１の安否確認装置２に接続されている換気扇１と同様に人感センサ５１ｓを備え、この人感センサ５１ｓが居住者等を感知したとき換気動作を行うもので、人感センサ５１ｓのセンサ出力信号を当該換気扇５１の外部へ出力するように構成されている他は、上記の換気扇１と同様に構成され、また同様に動作するものである。
実施の形態２による安否確認装置５２は、ＡＣ電源の電源コンセント１２から動作に要する電力供給を行うように構成され、実施の形態１で説明した安否確認装置２と同様な記憶部２３、時間生成部２４、及び、通信Ｉ／Ｆ２５を備えている。安否確認装置５２に備えられている制御部２２ａは、換気扇５１の人感センサ１ｓの出力信号を直接入力して送信信号を生成する他は、実施の形態１の安否確認装置２の制御部２２と同様に各部の動作制御を行い、また、検知動作のＯＮ／ＯＦＦする解除スイッチ２６を同様に接続しているものである。
【００２６】
図７は、実施の形態２による安否確認装置の構成を示す説明図である。この図は実施の形態２による安否確認装置５２の概略構成示す分解斜視図である。図４に示したものと同一あるいは相当する部分に同じ符号を使用し、その説明を省略する。
安否確認装置５２の筐体は、例えば図中背面側に開口部を有するハウジング６０と、ハウジング６０の開口部を塞ぐ板状の蓋部３１から成る箱型の形状を成しており、概ね前述のハウジング３０及び蓋部３１からなる筐体と同様な形状をしている。ハウジング６０の側面即ち上記の開口部の側方に位置する面には、当該安否確認装置５２に外部接続される換気扇５１の人感センサ５１ｓに接続されているセンサ出力ケーブル５１ｋを挿通させる窓部６０ａが設けられている。この窓部６０ａから挿通させたセンサ出力ケーブル５１ｋの先端には、コネクタ５１ｍが装着されている。
また、ハウジング６０の表面、即ち上記の開口部側から視たとき箱型の底端面となる壁面には、解除スイッチ２６の操作部位を露出させる窓部６０ｂが設けられている。蓋部３１は、図４に示したものと同様な形状をしている。
安否確認装置５２の筐体内部、即ちハウジング６０の内部には、一対の差込端子２ｂを保持する保持部材３３、図６に示した制御部２２等を実装し当該安否確認装置５２の電子回路が構成されている基板６１が収納されている。
【００２７】
図７の保持部材３３は、図４に示したものと同様な形状をしており、その中央部位には差込端子２ｂが埋め込まれて固定／保持されている。差込端子２ｂの後端部位２ｃは、リード線３５によって基板６１に接続されており、図６等に示した電源コンセント１２から上記の差込端子２ｂを介して電源電力を当該基板６１に構成されている電源回路等へ供給するように接続している。
上記の差込端子２ｂは、保持部材３３に設けられているネジ孔３３ａにネジ４１が挿入され、このネジ４１を蓋部３１に設けられている孔３１ｂへ羅合させて固定している。このように固定したとき、差込端子２ｂは蓋部３１の窓部３１ａから突出する。
【００２８】
基板６１は、前述のようにリード線３５によって差込端子２ｂと接続され、また、図６に示した制御部２２ａ、記憶部２３、時間生成部２４、通信Ｉ／Ｆ２５、及び解除スイッチ２６を実装し、基板６１に形成されている配線パターンによって上記の各部を構成するデバイス等の回路接続を行っている。また、リード線３５を介して入力した電源電力を用いて制御部２２ａなどの各回路素子へ電源供給を行うように、例えば前述のように電源回路ならびに電源配線パターンを備えている。基板６１の四隅には、図７に示したように孔６１ａが設けられており、図示されないネジやスペーサ等を用いて例えば蓋部３１に固定されている。
【００２９】
基板６１には上記のように解除スイッチ２６が実装されており、蓋部３１をハウジング６０に取り付けたとき、ハウジング６０の窓部６０ｂから当該解除スイッチ２６のＯＮ／ＯＦＦ切り替え操作が行えるように基板６１の面上に配置されている。また、基板６１の面上には、前述の窓部６０ａに挿通され、当該安否確認装置５２の筐体内部へ引き込まれたセンサ出力ケーブル５１ｋのコネクタ５１ｍと接続するコネクタ６１ｂが実装されている。コネクタ６１ｂの各端子は、基板６１に形成されている配線パターンによって図６に示したように制御部２２ａに接続されている。
【００３０】
このように保持部材３３、及び基板６１が固定された蓋部３１は、例えば蓋部３１の四隅に設けられた孔３１ｃに、それぞれネジ４２が挿入され、これらのネジ４２によってハウジング６０へ取り付け固定されている。このように蓋部３１がハウジング６０へ取り付けられると、ハウジング６０の窓部６０ｂから解除スイッチ２６の操作部位が突出する。
【００３１】
次に動作について説明する。
図６に示した換気扇５１は、実施の形態１で説明した換気扇１と同様に、自ら備えている人感センサ５１ｓが居住者を感知すると図示を省略した起動スイッチをＯＮ状態にして図示を省略したモータに電流を流し、例えば換気扇５１を設置しているトイレ等の換気を行う。この後換気扇５１は、例えばモータに一定時間電流を流して起動スイッチをＯＦＦ状態とし、換気動作を自動的に停止する。
安否確認装置５２は、換気扇５１の人感センサ５１ｓから出力されるセンサ出力信号を図７に示したセンサケーブル５１ｋを介して入力し、詳しくは上記のセンサ出力信号を制御部２２ａへ入力する。制御部２２ａは、入力しているセンサ出力信号が居住者を感知したことを示した時刻を認識する。
【００３２】
図６に示したように安否確認装置５２を構成する制御部２２ａは、前述の実施の形態１で説明した制御部２２と同様に時間生成部２４が生成している時間を表す信号、例えば図５に示したクロック信号ＣＬを入力している。入力したクロック信号ＣＬをカウントして実際の時刻Ｕｓを求め、上記のセンサ出力信号が有意を示した時刻Ｕｓを認識する。
また、制御部２２ａは、センサ出力信号が有意を継続した時間、即ち換気扇５１の人感センサが居住者を感知し続けた時間を上記のクロック信号ＣＬをカウントして求め、この継続時間と時刻Ｕｓとを示す送信信号を生成する。
記憶部２３へ生成した送信信号を記憶させる処理動作、また所定の時刻に記憶部２３に記憶されている送信信号を読み出して通信Ｉ／Ｆ２５へ出力する処理動作などは、実施の形態１で説明したものと同様に行われる。また、通信Ｉ／Ｆ２５の処理動作も、実施の形態１で説明したものと同様に行われ、また、解除スイッチ２６になされた操作に対応する処理動作も、実施の形態１で説明したものと同様に行われる。ここでは、これらの処理動作の重複説明を省略する。
【００３３】
実施の形態２による安否確認装置５２は、概ねの処理動作が実施の形態１による安否確認装置２と同様なものである。図１に示した安否確認装置２を安否確認装置５２へ置き換えて構成した安否確認システムは、実施の形態１で説明した安否確認システムと概ね同様に動作し、また同様な作用効果を有する。ここでは、安否確認装置５２を用いた安否確認システムの動作について、実施の形態１で説明した安否確認システムと同様な動作の重複説明を省略する。なお、上記の安否確認装置５２を用いた安否確認システムは、図１の換気扇１を換気扇５１に置き換えて構成したものとなる。
安否確認装置５２を用いた安否確認システムの通報装置８は、当該通報装置の判断部８ａが、実施の形態１で説明したように送信情報の示す各時刻Ｕｓの時間間隔の値を求め、この値から居住者に異常が生じているか否かを判断する。この判断を行うとき、実施の形態１で説明した判断処理に加えて、例えば居住者を感知し続けた時間が異常に長いか、もしくはまだ感知し続けているか否かを判断し、居住者の感知が異常に長く継続しているとき、居住者に異常が発生したと判断するようにしてもよい。
【００３４】
また、異常が発生したと判断したときには、実施の形態１で説明したように当該通報装置８に備えられているディスプレイに異常発生のメッセージを表示させる、または、発音手段を動作させて警報音等を発生させる等の動作を行い、監視者への通報動作を行わせる。
また、実施の形態１で説明したものと同様に、安否確認装置５２において居住者を感知した都度、順次感知した時刻Ｕｓを示す送信信号を通報装置８へ送信し、通報装置８は順次受信する各送信信号から前述の動作説明と同様に各時刻Ｕｓの時間間隔を求め、この時間間隔の値に基づいて異常の有無を判断するようにしてもよい。
また、安否確認装置５２の制御部２２ａが、例えば記憶部２３にセンサ出力信号が有意となった時刻Ｕｓを順次記憶させておき、これらの時刻Ｕｓ間の時間間隔を求めて上記の通報装置８の判断部８ａのように安否判断を行い、この安否判断結果を送信信号として通報装置８へ送信して通報動作を行わせるようにしてもよい。このように、安否確認システムにおいて、安否確認装置５２の制御部２２ａあるいは通報装置８の判断部８ａのいずれかで安否判断を行うことにより、特定の装置に重い処理負荷が偏らないようにすることができ、当該システムに汎用性や融通性などを備えることができる。
【００３５】
以上のように実施の形態２によれば、換気扇５１に備えられている人感センサの出力信号を制御部２２ａへ入力し、制御部２２ａが居住者の検出時刻を記憶部２３に記憶するようにしたので、人感センサなどの取付け施工が省略され、安否確認装置５２の取付け施工や稼動させるための配線施工を容易にすることができるという効果がある。
【図面の簡単な説明】
【００３６】
【図１】この発明の実施の形態１による安否確認システムの構成を示すブロック図である。
【図２】実施の形態１による安否確認装置の設置を示す説明図である。
【図３】実施の形態１による安否確認装置の構成を示すブロック図である。
【図４】実施の形態１による安否確認装置の構成を示す説明図である。
【図５】実施の形態１による安否確認装置の動作を示す説明図である。
【図６】この発明の実施の形態２による安否確認装置の構成を示すブロック図である。
【図７】実施の形態２による安否確認装置の構成を示す説明図である。
【符号の説明】
【００３７】
１，５１  換気扇、２，５２  安否確認装置、３  通信機、４  基地局、５  携帯端末、６  Ｗｅｂサーバ、７  情報端末、８  通報装置、１０  壁面、１１  電源プラグ、１２  電源コンセント、２１  電流検出部、２２，２２ａ  制御部、２３  記憶部、２４  時間生成部、２５  通信Ｉ／Ｆ、２６  解除スイッチ、３０，６０  ハウジング、３１  蓋部、３２  ソケット部材、３３  保持部材、３４，６１  基板、４１，４２  ネジ。
【図１】
2007233452.tif 000003
【図２】
2007233452.tif 000004
【図３】
2007233452.tif 000005
【図４】
2007233452.tif 000006
【図５】
2007233452.tif 000007
【図６】
2007233452.tif 000008
【図７】
2007233452.tif 000009